(57)【要約】【課題】  乗客コンベアは、現地において移動手摺もしくはその駆動装置もしくはその一部の部品を乗客コンベア内部から取外す必要があり、取外し、取付けを容易にする必要がある。【解決手段】  乗客コンベアの移動手摺駆動装置において、回転体を内構造体と外構造体に分割し、凸と凹の組み合わせ機構を設けることにより、移動手摺駆動時には回転体の内構造体と外構造体は互いに拘束され、取外し時には回転体の内構造体と外構造体の拘束を解き、外構造体を容易に取外すことができる。【選択図】  図１
2018177472.tif 000002
【特許請求の範囲】
【請求項１】
乗客コンベアの欄干部に支持された無端状の移動手摺と、前記移動手摺の一部が接触することによる摩擦力で前記移動手摺を駆動走行させるための回転体と、チェーンを介して移動手摺駆動スプロケットが受けたトルクを前記回転体に伝達するための回転体駆動軸と、を備え、前記回転体は、前記回転体駆動軸に固定された内構造体とそれ以外の外構造体とを含むことを特徴とした乗客コンベア。
【請求項２】
前記回転体の内構造体と外構造体が円形状であり、外構造体の内側に開いた穴が円形状であり、内構造体の外周と外構造体の内周に少なくとも一つ以上の凹凸の組み合わせ構造を備える、請求項１に記載の乗客コンベア。
【請求項３】
前記回転体の内構造体が四角形状であり、外構造体が円形状かつ内側に開いた穴が四角形状であり、内構造体と外構造体を互いに拘束するための留め具と、内構造体の外周と外構造体の内周に少なくとも一つ以上の留め具を嵌め込むための凹形状を備える、請求項１に記載の乗客コンベア。
【請求項４】
乗客コンベアの欄干部に支持された無端状の移動手摺と、前記移動手摺の一部が接触することによる摩擦力で前記移動手摺を駆動走行させるための回転体と、チェーンを介して移動手摺駆動スプロケットが受けたトルクを前記回転体に伝達するための回転体駆動軸と、を備える乗客コンベアにおける、前記回転体駆動軸に固定された内構造体とそれ以外の外構造体とを含む回転体の取外し方法であって、
回転体の前記内構造体と前記外構造体とに設けられるロック機構を解除し、
前記外構造体を鉛直上方方向に持ち上げ、
前記外構造体を回転体駆動軸方向に移動させる、ことを特徴とした回転体取外し方法。
【請求項５】
前記回転体の内構造体と外構造体を締結しているボルトを取り外し、前記外構造体を前記内構造体に対し半時計周りに凹凸構造がぶつかるまで回転することで解除する請求項４に記載の回転体取外し方法。
【請求項６】
前記回転体の内構造体と外構造体を拘束している留め具を締結しているボルト類を取り外し、前記回転体の内構造体と外構造体を拘束している留め具を取り外すことにより解除する請求項４に記載の回転体取外し方法。
【発明の詳細な説明】
【技術分野】
【０００１】
本発明は乗客コンベアの移動手摺駆動装置に関するものである。
【背景技術】
【０００２】
特許文献１に記載のように、従来の手摺駆動装置では、乗客コンベアの欄干部に設けられた無端状の手摺の一部を駆動軸が固定されたシーブに巻きかけ、巻きかけた手摺の一定区間に渡って手摺をシーブに押し付ける複数の押し付けローラを設け、シーブが回転する際にこの押し付けローラを設けた区間でシーブと手摺の間に生じる摩擦力により手摺を駆動するとともにそのたるみを防止するものが提案されている。また、シーブがシーブ駆動軸によって手摺の走行方向とほぼ同一方向に往復動自在に支持されており、手摺駆動時にはシーブの駆動反力により駆動力を増大させるものが提案されている。
【先行技術文献】
【特許文献】
【０００３】
【特許文献１】特開２００６−２１９２８５
【発明の概要】
【発明が解決しようとする課題】
【０００４】
エスカレーター等の乗客コンベアは、その本来の機能を維持するために、顧客納入後も継続的なメンテナンスやリニューアルが必要な製品である。乗客コンベアは製品としての安全性、品質に加えて現地での据付・保全性が求められる。据付・保全性の向上は現地工数を低減し、製品コストの低減にも繋がる。乗客コンベアは、現地において移動手摺もしくはその駆動装置もしくはその一部の部品を乗客コンベア内部から取外す必要があり、取外し、取付けを容易にする必要がある。具体的には、移動手摺駆動装置の回転体は、移動手摺によって回転体駆動軸方向に拘束されているため取り外しすることができない。
【課題を解決するための手段】
【０００５】
乗客コンベアの欄干部に支持された無端状の移動手摺と、この移動手摺の一部が接触しその摩擦力で移動手摺を駆動走行させるための回転体と、チェーンを介して移動手摺駆動スプロケットが受けたトルクを回転体に伝達するための回転体駆動軸を備えた乗客コンベアの移動手摺駆動装置において、回転体を内構造体と外構造体に分割構造とする。内構造体と外構造体には凸と凹の組み合わせ機構を設けることで互いに拘束し、最終的にボルト類によって締結する。メンテナンス時には外構造体のみを取り外すこととし、ボルト類を取り外し内構造体と外構造体の拘束を解いた後、外構造体を持ち上げ移動手摺が干渉しないようにした上で、軸方向に移動し取り外す。
【発明の効果】
【０００６】
乗客コンベアの移動手摺駆動装置において、回転体を内構造体と外構造体に分割し、凸と凹の組み合わせ機構を設けることにより、移動手摺駆動時には回転体の内構造体と外構造体は互いに拘束され、取外し時には回転体の内構造体と外構造体の拘束を解き、外構造体を容易に取外すことができる。
【図面の簡単な説明】
【０００７】
【図１】本発明の第１の実施形態に係る乗客コンベアの全体構成を示す図である。
【図２】本発明の第１の実施形態に係る移動手摺駆動装置による移動手摺の駆動を示す図である。
【図３】本発明の第１の実施形態に係る移動手摺駆動装置の回転体の内構造体、及び外構造体を示す図である。
【図４】本発明の第１の実施形態に係る回転体取外し手順を示す図である。
【図５】本発明の第２の実施形態に係る移動手摺駆動装置の回転体の内構造体、及び外構造体を示す図である。
【図６】本発明の第２の実施形態に係る回転体取外し手順を示す図である。
【発明を実施するための形態】
【０００８】
本発明の実施例を、図を参照し説明する。
【実施例１】
【０００９】
乗客コンベアは、図１に示すように、建屋の乗降口１、２間に架設される本体枠３と、無端状に連結され、乗降口１、２間を循環移動する複数の踏段４と、本体枠３の中に設けられる機械室５に駆動機６を備えている。また、駆動機６はプーリ６aを有し、プーリ６aには駆動チェーン７が巻回される。機械室５は駆動チェーン７が巻回される第１スプロケット８ａと、移動手摺駆動チェーン１５が巻回される第２スプロケット８ｂを有してなる駆動スプロケット８を備えている。
【００１０】
駆動機６等を制御する制御盤１２は、機械室５に設置される。また、乗客コンベアは、本体枠上に踏段４の進行方向に沿って設けられる欄干１３と、この欄干１３により支持され、踏段４と同期して移動する移動手摺１４とを備えている。制御盤１２から出力される信号に応じて駆動機６の動力が駆動チェーン７を介して駆動スプロケット８に伝えられ、移動手摺駆動チェーン１５を介して移動手摺駆動スプロケット９が固定された回転体駆動軸１０に伝達される。回転体駆動軸１０には移動手摺１４の一部に接触している移動手摺駆動装置の回転体１１が固定され、回転体１１が回転することにより移動手摺１４は乗降口１、２間を循環移動するように駆動する。
【００１１】
回転体１１は図２に示すように、軸に固定された内構造体１６とそれ以外の１７の分割構造からなる。回転体１１を内構造体１６と外構造体１７に分割し、凸と凹の組み合わせ機構を設けることにより、移動手摺駆動時には回転体１１の内構造体１６と外構造体１７は互いに拘束され、取外し時には回転体１１の内構造体１６と外構造体１７の拘束を解き、外構造体１７を容易に取外すことができる。
【００１２】
本実施例の形態では、移動手摺駆動装置は図２に示すように移動手摺駆動軸１０に拘束した回転体１１を移動手摺１４に接触させ移動手摺１４を駆動する。回転体１１は移動手摺駆動軸１０に固定された内構造体１６とそれ以外の外構造体１７の分割構造からなる。回転体１１は一般的には分割されておらず、溶接や、焼きばめ等によって回転体１１が回転体駆動軸に固定されているため、回転体１１を乗客コンベア外へ取外すことができない。回転体１１が回転体駆動軸１０から取外せる構造であったとしても、乗客コンベア内の他の部品と干渉し、乗客コンベア外に取外すことができないことがある。具体的には、回転体駆動軸１０から回転体１１を取外す場合、軸方向に移動する必要があるが、回転体は移動手摺１４によって回転体駆動軸１０方向に拘束され移動することが困難である。図３に示すように回転体１１を分割した、内構造体１６と外構造体１７に凸凹の組み合わせ構造を設ける。内構造体１６は３つの凸形状１６a、１６b、１６ｃを備える。外構造体１７は凸形状１７aと凹形状１７ｂを備える。
【００１３】
本実施例の形態にあっては、図４に従ってメンテナンス時に移動手摺駆動装置の回転体１１を取外す。以下図４を参照し、取外し手順について説明する。（A）凸形状１６aと凸形状１７aによって回転方向の位置決めがなされた上で、凸形状１６a、１６b、１６ｃによって外構造１７は円周方向に拘束され、ボルト類１８によって締結されている。つまり、回転体の内構造体と前記外構造体とにロック機構が設けられる。（B）作業者はボルト類１８を取外し、外構造体１７を内構造体１６に対し半時計方向に手回しで回転させる。凸形状１６bと凸形状１７aによって回転方向の位置決めがなされる。（C）凸形状１６ｃを凹形状１７ｂに嵌め込み、外構造体１７を回転体駆動軸１０に対して垂直上方向に持ち上げスライドさせる。（D）外構造体１７を回転体駆動軸１０に対して垂直上方向にスライドさせたことによって、外構造体１７は移動手摺１４の拘束から外れ、外構造体１７を回転体駆動軸１０方向に移動し取外すことができる。外構造体１７を取外すことにより、回転体と移動手摺の接触面の交換や移動手摺の交換を行うことができる。
【００１４】
本実施形態によれば、移動手摺駆動時には、回転体１１の内構造体１６と外構造体１７を互いに拘束し、回転体駆動軸１０からの入力トルクを移動手摺に伝達することができる。部品交換やメンテナンス等の際に外構造体１７を取り外す場合には、回転体１１の内構造体１６と外構造体１７の拘束を開放し、回転体１１の外構造体１７を容易に取外すことができる。具体的には、内構造体１６と外構造体１７の凸形状がぶつかるまで回転方向に回転させることで、寸法等を計測しなくても所定の位置に回転方向の位置決めがなされる。
【００１５】
なお、前述した実施の形態は本発明を分かりやすく説明するために詳細に説明したものであり、必ずしも説明した全ての構成を備えるものに限定されるものではない。また、各実施の形態の構成の一部について、他の構成の追加・削除・置き換えをすることが可能である。
【実施例２】
【００１６】
次に、実施例２の移動手摺駆動装置について図５及び図６に基づいて説明する。
本実施例と実施例１の異なる点は、実施例１では回転体１１を図３のように内構造体１６と外構造体１７に分割したが、本実施例２では、図６、図７のように内構造体１９と外構造体２０に分割し、留め具２１を用いて拘束する点である。内構造体１９と外構造体２０には留め具２１を嵌め込むための凹形状１９a、及び２０aが設けてある。
【００１７】
本実施例の形態にあっては、図８に従ってメンテナンス時に移動手摺駆動装置の回転体１１を取外す。以下図８を参照し、取外し手順について説明する。（A）外構造体２０の自重によって外構造体２０の位置決めがなされた上で、内構造体１９の凹形状１９aと外構造体２０の凹形状２０aに留め具２１を嵌め込み、ボルト類２２によって締結することで内構造体１９と外構造体２０は互いに回転方向、軸方向、円周方向が拘束されている。（B）作業者はボルト類２２を取外し、留め具２１を取り外すことで回転体駆動軸１０に対し垂直上方向の拘束を解く。（C）外構造体２０を回転体駆動軸１０に対して垂直上方向に持ち上げスライドさせる。（D）外構造体２０を回転体駆動軸１０に対して垂直上方向にスライドさせたことによって、外構造体２０は移動手摺１４の拘束から外れ、外構造体２０を回転体駆動軸１０方向に移動し取外すことができる。
【符号の説明】
【００１８】
１・・・建屋の乗降口、２・・・建屋の乗降口。３・・・本体枠、４・・・踏段５・・・機械室、６・・・駆動機、６a・・・プーリ、７・・・駆動チェーン、８・・・駆動スプロケット、１０・・・回転体駆動軸、１１・・・回転体、１２・・・制御盤、１３・・・欄干、１４・・・移動手摺、１５・・・移動手摺駆動チェーン、１６・・・内構造体、１７・・・外構造体
【図１】
2018177472.tif 000003
【図２】
2018177472.tif 000004
【図３】
2018177472.tif 000005
【図４】
2018177472.tif 000006
【図５】
2018177472.tif 000007
【図６】
2018177472.tif 000008